(57)【要約】【課題】  本発明は、コントラスト比、特に明室でのコントラスト比を向上させて誘電体が変色することによって生じる品質の低下を抑制するとともに、製造工程を簡素化することが可能なプラズマディスプレイパネルを提供すること。【解決手段】  本発明によるプラズマディスプレイパネルは、少なくとも一部が着色された前面基板１００と、上記前面基板と対向配置された背面基板２００と、上記放電空間内に形成された蛍光体層２４０と、上記複数の放電空間に対応するように上記前面基板上に形成された複数の透明電極１１０と、上記透明電極に連結されたバス電極１２０と、及び上記透明電極及び上記バス電極を覆う誘電体層１３０と、を備え、上記前面基板に着色された色は上記誘電体層の変色によりあらわれる色と減算混合での補色関係にある色を含む。【選択図】図１
2006339142.tif 000002
【特許請求の範囲】
【請求項１】
少なくとも一部が着色された前面基板と；
前記前面基板と対向配置された背面基板と；
前記前面基板と前記背面基板の間の複数の放電空間内に形成された蛍光体層と；
前記複数の放電空間に対応するように前記前面基板上に形成された複数の透明電極と；
前記透明電極に連結されたバス電極と；
前記透明電極及び前記バス電極を覆う誘電体層と；
を備え、
前記前面基板に着色された色相は前記誘電体層の変色によりあらわれる色相と減算混合での補色関係にある色を含むことを特徴とするプラズマディスプレイパネル。
【請求項２】
前記透明電極は、一つの放電空間で互いに対向形成された第１透明電極及び第２透明電極を含み、
前記バス電極は、前記第１透明電極と連結された第１バス電極と、前記第２透明電極と連結された第２バス電極と、を含むことを特徴とする、請求項１に記載のプラズマディスプレイパネル。
【請求項３】
前記第１基板上に、前記第１バス電極及び前記第２バス電極のうち一方の電極と交差する方向に伸長形成されるアドレス電極をさらに含むことを特徴とする、請求項２に記載のプラズマディスプレイパネル。
【請求項４】
前記前面基板と前記背面基板の間に、前記複数の放電空間を区切る隔壁層が形成されることを特徴とする、請求項１〜３のいずれかに記載のプラズマディスプレイパネル。
【請求項５】
前記バス電極は、銀を含む材質で形成されることを特徴とする、請求項１〜４のいずれかに記載のプラズマディスプレイパネル。
【請求項６】
前記前面基板は、前記誘電体層の変色によりあらわれる色相と減算混合での補色関係にある色相を有する透明な材質の基板で形成されたことを特徴とする、請求項１〜５のいずれかに記載のプラズマディスプレイパネル。
【請求項７】
前記前面基板に着色された色相と前記誘電体層の変色によりあらわれる色相は、減算混合されて黒色または灰色に見えることを特徴とする、請求項６に記載のプラズマディスプレイパネル。
【請求項８】
前記前面基板に着色された色相は、藍色系の色相であることを特徴とする、請求項１〜７のいずれかに記載のプラズマディスプレイパネル。
【請求項９】
前記前面基板は、透明な材質の基板と、前記誘電体層の変色によりあらわれる色相と減算混合での補色関係の色相を有するフィルター膜と、をさらに含むことを特徴とする、請求項１〜５のいずれかに記載のプラズマディスプレイパネル。
【請求項１０】
前記フィルター膜は、前記前面基板において前記バス電極に対応する領域が着色されることを特徴とする、請求項９に記載のプラズマディスプレイパネル。
【請求項１１】
前記フィルター膜は、前記前面基板において前記バス電極に対応する領域に構成されることを特徴とする、請求項９に記載のプラズマディスプレイパネル。
【請求項１２】
前面基板と；
前記前面基板と対向配置された背面基板と；
前記前面基板と前記背面基板の間の複数の放電空間内に形成された蛍光体層と；
前記複数の放電空間に対応するように前記前面基板上に形成された複数の透明電極と；
前記透明電極に連結された複数のバス電極と；
前記透明電極及び前記バス電極を覆う誘電体層と；
前記前面基板の外面に構成され、前記誘電体層の変色によりあらわれる色相と減算混合での補色関係の色相を有するフィルター膜と；
を備えることを特徴とする、プラズマディスプレイパネル。
【請求項１３】
前記透明電極は、一つの放電空間で互いに対向形成された第１透明電極及び第２透明電極を含み、
前記バス電極は、前記第１透明電極と連結された第１バス電極と、前記第２透明電極と連結された第２バス電極と、を含むことを特徴とする、請求項１２に記載のプラズマディスプレイパネル。
【請求項１４】
前記第１基板上に、前記第１バス電極及び前記第２バス電極のうち一方の電極と交差する方向に伸長形成されるアドレス電極をさらに含むことを特徴とする、請求項１３に記載のプラズマディスプレイパネル。
【請求項１５】
前記前面基板と前記背面基板との間に前記複数の放電空間を区切る隔壁層が形成されることを特徴とする、請求項１２〜１４のいずれかに記載のプラズマディスプレイパネル。
【請求項１６】
前記バス電極は、銀を含む材質で形成されたことを特徴とする、請求項１２〜１５のいずれかに記載のプラズマディスプレイパネル。
【請求項１７】
前記フィルター膜は、前記前面基板において前記バス電極に対応する領域が着色されることを特徴とする、請求項１２〜１６のいずれかに記載のプラズマディスプレイパネル。
【請求項１８】
前記フィルター膜は、前記前面基板において前記バス電極に対応する領域に構成されることを特徴とする、請求項１２〜１５のいずれかに記載のプラズマディスプレイパネル。
【請求項１９】
前記フィルター膜が有する色相は、藍色系の色相であることを特徴とする、請求項１２〜１８のいずれかに記載のプラズマディスプレイパネル。
【請求項２０】
前記フィルター膜が有する色相と前記誘電体層の変色によりあらわれる色相は、減算混合されて黒色または灰色に見えることを特徴とする、請求項１２〜１９のいずれかに記載のプラズマディスプレイパネル。
【発明の詳細な説明】
【技術分野】
【０００１】
本発明は、プラズマディスプレイパネルに関する。
【背景技術】
【０００２】
プラズマディスプレイパネルは、印加される放電電圧の種類により直流（ＤＣ）型、交流（ＡＣ）型及び混合型（Ｈｙｂｒｉｄ）型に区分され、さらに放電構造により対向放電型及び面放電型に区分される。
【０００３】
直流型プラズマディスプレイパネルは、対応する電極の間で電荷が直接移動するため、電極の損傷が激しい問題があることから、最近では面放電構造を有する交流型プラズマディスプレイパネルが一般に使用されている。
【０００４】
このようなプラズマディスプレイパネルは、高画質、超薄型、軽量化及び広視野角に優れ、他の平板ディスプレイ装置に比べて製造方法が簡単で大型化が容易であり、次世代の大型平板ディスプレイ装置として脚光を浴びている。
【０００５】
なお、特許文献１は本出願人による類似出願であり、かかる特許文献１では、前面誘電体層と隔壁とが、外光反射を低減させるために共に着色されることを特徴とする外光反射を減らしたプラズマディスプレイパネルが開示されている。
【０００６】
【特許文献１】特開２００５−６３９４３号公報
【発明の開示】
【発明が解決しようとする課題】
【０００７】
しかし、従来のプラズマディスプレイパネルによれば、コントラスト比が多少落ちるという問題がある。また、電極の材質によっては電極と電極を囲む誘電体が反応して、誘電体が変色する問題もある。
【０００８】
そこで、本発明は、このような問題に鑑みてなされたもので、その目的は、コントラスト比、特に明室でのコントラスト比を向上させ、誘電体が変色することによって生じる品質の低下を抑制するとともに、製造工程を簡素化することが可能な、新規かつ改良されたプラズマディスプレイパネルを提供することにある。
【課題を解決するための手段】
【０００９】
上記課題を解決するために、本発明のある観点によれば、少なくとも一部が着色された前面基板と；上記前面基板と対向配置された背面基板と；上記前面基板と上記背面基板の間の複数の放電空間内に形成された蛍光体層と；上記複数の放電空間に対応するように上記前面基板上に形成された複数の透明電極と；上記透明電極に連結されたバス電極と；上記透明電極及び上記バス電極を覆う誘電体層と；を備え、上記前面基板に着色された色相は上記誘電体層の変色によりあらわれる色相と減算混合での補色関係にある色を含むことを特徴とするプラズマディスプレイパネルが提供される。
【００１０】
また、上記透明電極は、一つの放電空間で互いに対向形成された第１透明電極及び第２透明電極を含み、上記バス電極は、上記第１透明電極と連結された第１バス電極と、上記第２透明電極と連結された第２バス電極と、を含んでもよい。
【００１１】
また、上記第１基板上に、上記第１バス電極及び上記第２バス電極のうち一方の電極と交差する方向に伸長形成されるアドレス電極をさらに含んでもよい。
【００１２】
また、上記前面基板と上記背面基板の間に、上記複数の放電空間を区切る隔壁層が形成されてもよい。
【００１３】
また、上記バス電極は、銀を含む材質で形成されてもよい。
【００１４】
また、上記前面基板は、上記誘電体層の変色によりあらわれる色相と減算混合での補色関係にある色相を有する透明な材質の基板で形成されてもよい。
【００１５】
また、上記前面基板に着色された色相と上記誘電体層の変色によりあらわれる色相は、減算混合されて黒色または灰色に見えてもよい。
【００１６】
また、上記前面基板に着色された色相は、藍色系の色相であってもよい。
【００１７】
また、上記前面基板は、透明な材質の基板と、上記誘電体層の変色によりあらわれる色相と減算混合での補色関係の色相を有するフィルター膜と、をさらに含んでもよい。
【００１８】
また、上記フィルター膜は、上記前面基板において上記バス電極に対応する領域が着色されてもよい。
【００１９】
また、上記フィルター膜は、上記前面基板において上記バス電極に対応する領域に構成されてもよい。
【００２０】
上記課題を解決するために、本発明の別の観点によれば前面基板と；上記前面基板と対向配置された背面基板と；上記前面基板と上記背面基板の間の複数の放電空間内に形成された蛍光体層と；上記複数の放電空間に対応するように上記前面基板上に形成された複数の透明電極と；上記透明電極に連結された複数のバス電極と；上記透明電極及び上記バス電極を覆う誘電体層と；上記前面基板の外面に構成され、上記誘電体層の変色によりあらわれる色相と減算混合での補色関係の色相を有するフィルター膜と；を備えることを特徴とする、プラズマディスプレイパネルが提供される。
【００２１】
また、上記透明電極は、一つの放電空間で互いに対向形成された第１透明電極及び第２透明電極を含み、上記バス電極は、上記第１透明電極と連結された第１バス電極と、上記第２透明電極と連結された第２バス電極と、を含んでもよい。
【００２２】
また、上記第１基板上に、上記第１バス電極及び上記第２バス電極のうち一方の電極と交差する方向に伸長形成されるアドレス電極をさらに含んでもよい。
【００２３】
また、上記前面基板と上記背面基板との間に上記複数の放電空間を区切る隔壁層が形成されてもよい。
【００２４】
また、上記バス電極は、銀を含む材質で形成されてもよい。
【００２５】
また、上記フィルター膜は、上記前面基板において上記バス電極に対応する領域が着色されてもよい。
【００２６】
また、上記フィルター膜は、上記前面基板において上記バス電極に対応する領域に構成されてもよい。
【００２７】
また、上記フィルター膜が有する色相は、藍色系の色相であってもよい。
【００２８】
また、上記フィルター膜が有する色相と上記誘電体層の変色によりあらわれる色相は、減算混合されて黒色または灰色に見えてもよい。
【発明の効果】
【００２９】
以上説明したように、本発明によれば、予め設定された色相で着色された透明な前面基板を使ったり、予め設定された色を有するフィルター膜を透明な前面基板とあわせて使用したりすることによって、各々の放電空間で発生する互いに異なる色の間を区分することができ、外光反射光を低減して、プラズマディスプレイパネルのコントラスト比、特に明室でのコントラスト比を向上させることができる。
【００３０】
また、誘電体が変色することによって生じる品質の低下を抑制するとともに、上記の効果を比較的に簡単に得ることができて、全体的な製造工程を簡素化することができる。
【発明を実施するための最良の形態】
【００３１】
以下に、添付した図面を参照しながら、本発明の好適な実施の形態について詳細に説明する。なお、本明細書及び図面において、実質的に同一の機能構成を有する発明特定事項については、同一の符号を付することにより重複説明を省略する。
【００３２】
図１に、３電極面放電構造を有する交流型プラズマディスプレイパネルの第１実施形態の概略図を示す。
【００３３】
図１で示したように、本発明の第１実施形態によるプラズマディスプレイパネル１０は、予め設定された色相で少なくとも一部が着色された前面基板１００と、複数に区切られた放電空間を間において上記前面基板と対向配置された背面基板２００と、前面基板１００と背面基板２００の間に形成された各々独立的に区切られる複数の放電空間３００を形成する隔壁層２３０と、放電空間３００内に形成された蛍光体層２４０と、複数の放電空間３００に各々対応するように前面基板１００上に形成された複数の透明電極１１０と、透明電極１１０に直接連結され、透明電極１１０に電気的駆動信号を印加するバス電極１２０と、透明電極１１０とバス電極１２０を覆う誘電体層１３０、及び誘電体層１３０を覆う保護膜１４０を含む。ここで、透明電極１１０は一つの放電空間３００で互いに対向形成された第１透明電極１１１と第２透明電極１１２を含む。バス電極１２０は第１透明電極１１１と連結された第１バス電極１２１と、第２透明電極１１２と連結されながら、第１バス電極１２１と平行配置された第２バス電極１２２とを含む。そして、プラズマディスプレイパネル１０は、背面基板２００上に、第１バス電極１２１及び第２バス電極１２２と交差方向に伸長するアドレス電極２１１を形成することができる。この時、アドレス電極２１１も誘電層２２０によって覆われる。また、図示しないが、放電空間３００に充填された放電ガスも含む。
【００３４】
背面基板２００及び前面基板１００は、ガラスなどのような絶縁性材質で形成される。前面基板１００は、少なくとも一部が予め設定された色相に着色された透明な基板として形成される。前面基板１００の少なくとも一部は、後述する誘電体層１３０の変色によりあらわれる色相と減算混合での補色関係の色を有する。本発明による第１実施形態で、前面基板１００は基板自体が予め設定された色相を有する。つまり、ガラスなどのような絶縁性材質に透明な前面基板を形成する過程で着色されて、基板自体が予め設定された色相を有する。
【００３５】
隔壁層２３０は、背面基板２００に形成したり、前面基板１００に形成することができ、両基板１００、２００に各々分離されて形成したり、一体に形成することもできる。本実施形態では、隔壁層２３０が背面基板２００上に形成されて複数の放電空間３００を各々独立的に区画している。また、隔壁層２３０は放電空間３００を円筒、楕円筒、または多角形状の筒などの多様な形状に形成することが可能で、本発明による第１実施形態では四角形状筒で形成される放電空間３００を示している。つまり、隔壁層２３０は複数の放電空間３００を形成することができる限り、多様なパターンと方法で形成されることができる。
【００３６】
放電空間３００は、真空紫外線（ＶＵＶ）を吸収して、可視光を放出する蛍光体層２４０を有し、プラズマ放電によって真空紫外線（ＶＵＶ）を発生できるように放電ガス（例えば、ネオン（Ｎｅ）とキセノン（Ｘｅ）等を含む混合ガス）を充填している。
【００３７】
蛍光体層２４０は、隔壁層２３０によって形成される放電空間３００の内面と放電空間３００を形成する前面基板１００と背面基板２００のうち、いずれか一側または両側に形成されることができる。蛍光体層２４０が背面基板２００に形成される場合には、蛍光体層２４０は放電空間３００内部で真空紫外線を吸収し、前面基板１００側に可視光を反射させる反射型蛍光体に形成される。一方、蛍光体層２４０が前面基板１００に形成される場合には、蛍光体層２４０は放電空間３００の内部で真空紫外線を吸収し、可視光を透過させる透過型蛍光体に形成される。つまり、蛍光体層２４０は、プラズマディスプレイパネル１０に使用される電極の構造と放電方式により多様に配置される。本発明による第１実施形態では、蛍光体層２４０隔壁層２３０と背面基板２００上に形成されるが、これは可視光の透過率を向上させるため、より有利な条件となる。
【００３８】
本実施形態によるプラズマディスプレイパネル１０は、第１透明電極１１１、第２透明電極１１２及びアドレス電極２１１を含む３電極構造を有し、放電空間３００からプラズマ放電を行う。この時、第１バス電極１２１及び第２バス電極１２２は、第１透明電極１１１及び第２透明電極１１２のような役割を果たす。第１透明電極１１１と第２透明電極１１２は、前面基板１００上に対向離隔されるように形成され、アドレス電極２１１は背面基板２００上に形成されるが、本発明においてこのような電極構造は必ず上記の実施形態に限定されるものではなく、本発明が属する技術分野で通常の知識を有する者が理解できる範囲内で２電極構造を含む多様な構造に変形するのが可能である。また、第１透明電極１１１及び第２透明電極１１２は、反応空間３００の形状により、そして最適の放電効率を考慮して、多様な形状に形成されることができる。ここで、アドレスパルスの印加を受けるアドレス電極２１１とスキャンパルスの印加を受けて走査電極の役割を果たす第２透明電極１１２は、アドレス電極２１１と第２透明電極１１２の間に印加されたアドレス電圧によってアドレス放電を行い、各々維持電極の役割を果たす第１透明電極１１１と第２透明電極１１２は維持放電を行うようになる。
【００３９】
第１透明電極１１１と第２透明電極１１２は、導電性材質として透明なＩＴＯ（ｉｎｄｉｕｍ−ｔｉｎ  ｏｘｉｄｅ：インジウム錫酸化物）で形成される。しかし、ＩＴＯ（インジウム錫酸化物）で形成された第１透明電極１１１及び第２透明電極１１２は、電気抵抗が比較的に高く通電性が落ちるため、第１バス電極１２１と第２バス電極１２２が各々の放電空間ごとに形成された第１透明電極１１１及び第２透明電極１１２と各々連結して、電気的な駆動信号を伝達する。第１バス電極１２１、第２バス電極１２２、及びアドレス電極２１１は、アルミニウム、銅、及び銀などのように通電性に優れた導電性金属で形成される。本発明の第１実施形態では、第１バス電極１２１と第２バス電極１２２が銀（Ａｇ）を含む材質で形成される。第１バス電極１２１及び第２バス電極１２２は、可視光の放出の妨げを最少化するために放電空間３００の周縁で第１透明電極１１１及び第２透明電極１１２と連結される。
【００４０】
誘電体層１３０、２２０は、第１透明電極１１１、第２透明電極１１２、第１バス電極１２１、第２バス電極１２２、及びアドレス電極２１１等の電極が放電時に直接通電されることを防止し、陽イオンまたは電子が電極に直接衝突するのを防止して電極の損傷を防止しながら、壁電荷を形成及び蓄積するために形成される。ここで、第１透明電極１１１、第２透明電極１１２、第１バス電極１２１、及び第２バス電極１２２を覆う誘電体層１３０（以下、‘透明誘電体層’）は、透明な材質で形成される誘電体で構成される。アドレス電極２１１を覆う誘電体層２２０（以下、‘反射誘電体層’）は、白色の色相を帯びる材質で形成された誘電体で構成され、蛍光体層２４０から発光した可視光の大部分が前面基板１００の方向へ向うように可視光を反射させる役割をする。
【００４１】
図２で示したように、第１バス電極１２１と第２バス電極１２２を、銀（Ａｇ）を含む材質で形成すると、透明誘電体層１３０は第１バス電極１２１と第２バス電極１２２に含まれている銀（Ａｇ）成分によって、第１バス電極１２１及び第２バス電極１２２と隣接する一部分（Ｙ）に黄変現象が生じて、黄色系の色相に見えるようになる。
【００４２】
一方、前面基板１００は、透明誘電体層１３０が第１バス電極１２１及び第２バス電極１２２の成分と反応して変色する色相と減算混合での補色関係の色相に着色される。本実施形態では、第１バス電極１２１及び第２バス電極１２２と隣接した透明誘電体層１３０の一部分（Ｙ）が黄色系の色相に見えるようになるため、第１バス電極１２１及び第２バス電極１２２に対応する部分を含む前面基板１００の少なくとも一部が、黄色系と減算混合での補色関係である藍色系の色相で着色される。
【００４３】
従って、図３で示したように、前面基板１００を正面から眺めた時、前面基板１００が有する藍色系の色相と透明誘電体層１３０の変色により現れた黄色系の色相が重なる部分（Ｂ、以下、‘黒色部分’）は、薄い黒色系の色相に見えるようになる。このような黒色部分（Ｂ）は、各々の放電空間３００から発現する互いに異なる色の間を区分するようになり、外光反射光を低減させ、プラズマディスプレイパネル１０のコントラスト比、特に明室でのコントラスト比を向上させることができる。
【００４４】
また、透明誘電体層１３０が第１バス電極１２１及び第２バス電極１２２の成分と反応して変色する色相と減算混合での補色関係の色相に前面基板１００が着色されると、透明誘電体層１３０の黄変現象によるプラズマディスプレイパネル１０の外観品質の低下を抑制することができる。
【００４５】
通常、銀（Ａｇ）成分を含む第１バス電極１２１及び第２バス電極１２２は、白色に見えるため、外光反射光が増加して明室でのコントラスト比特性が良くない。このような問題を解決する他の方法としては、第１バス電極１２１及び第２バス電極１２２を前面基板１００と隣接させて、黒色に見える金属層と銀（Ａｇ）成分を含んで白色に見える金属層で構成された２重層に形成することが考えられる。しかし、この場合のように、第１バス電極１２１及び第２バス電極１２２が２重層に形成される場合には、抵抗が増加し、余分な消費電力が発生するという問題があるかも知れず、また、２重層に形成しなければならないため工程が複雑になる。しかし、本実施形態によれば、このような問題を克服できる長所がある。
【００４６】
一方、透明誘電体層１３０の変色は、必ず黄変現象に限定されるものではなく、第１バス電極１２１及び第２バス電極１２２に含まれている成分または環境により色々な色相に変色することもある。従って、前面基板１００に着色された色相も必ず藍色系に限定されるものではなく、透明誘電体層１３０の変色する色相に対して補色関係の色相であればどの色相にも着色できる。
【００４７】
保護膜１４０は、放電空間３００で生じるプラズマ放電に露出された透明誘電体層１３０を保護する。この時、保護膜１４０は透明誘電体層１３０を保護し、高い２次電子放出係数と可視光の透過性が要求される。つまり、保護膜１４０は可視光透過性ＭｇＯの材質で形成され、耐久性が弱い誘電体を保護し、放電の時に２次電子を多く放出して放電開始電圧を下げる役割を果たす。
【００４８】
本発明の実施形態によるプラズマディスプレイパネル１０において、一つの例示的な放電過程を詳しく説明する。
【００４９】
まず、外部の電源からアドレス電極２１１にアドレスパルスが印加され、第２透明電極１１２にスキャンパルスが印加されことにより、アドレス電極２１１と第２透明電極１１２の間に予め設定されたアドレス電圧が印加されると、発光する放電空間３００が選択される。選択された放電空間３００の第２透明電極１１２側に壁電荷が蓄積される。この期間をアドレス放電期間という。このように、一つの放電空間３００をアドレシング（ａｄｄｒｅｓｓｉｎｇ）するためには、アドレス電極２１１と走査電極の役割を果たす第２透明電極１１２と連結された第２バス電極１２２は相互交差方向に伸びなければならない。
【００５０】
次に、第１透明電極１１１に正（＋）の電圧が印加され、第２透明電極１１２にこれより相対的に低い電圧が印加されると、第１透明電極１１１と第２透明電極１１２の間に印加された電位差によって、壁電荷が移動するようになる。この壁電荷が移動して、放電空間３００内の放電ガス原子と衝突しながら放電を行ってプラズマを生成させ、このような放電は相対的に強い電界が形成される第１透明電極１１１と第２透明電極１１２の互いに近い部分、つまり、透明誘電体層１３０または保護層１４０から発生するようになる。第１透明電極１１１と第２透明電極１１２の間の電位差を大きく維持させながら、時間が経過すると、上記の透明誘電体層１３０または保護層１４０で形成された電界が順に強く集中して、放電空間３００全体に放電が拡散する。このようなプラズマ放電によって、発生した真空紫外線（ＶＵＶ）が蛍光体層２４０と衝突して、所定の色を有する可視光を発生させるようになる。
【００５１】
このような放電が形成された後に第１透明電極１１１と第２透明電極１１２の間の電位差が放電電圧より低くなると、放電はそれ以上発生しなくなり、空間電荷及び壁電荷が放電空間３００に形成される。この時、第１透明電極１１１と第２透明電極１１２に印加された電圧の極性を変えると、壁電荷の助けを借りて、放電が再び発生するようになる。このような過程を繰り返しながら、放電を安定的に行うようになる。つまり、アドレス放電で選択された放電空間３００で維持電極の第１透明電極１１１と走査電極の第２透明電極１１２は各々交互的に印加される維持パルスによって、維持放電を行い、画像を表示する。この期間を維持放電期間という。
【００５２】
本発明において、放電は必ず上記実施形態に限定されるものではなく、本発明が属する技術分野において通常の知識を有する者が理解できる範囲内で多様な放電が可能である。
【００５３】
図４を参照して本発明の第２実施形態によるプラズマディスプレイパネル１０を説明する。
【００５４】
図４に示したように、プラズマディスプレイパネル１０は、前面基板１００の外面に形成されて誘電体層１３０の変色によりあらわれる色相と減算混合での補色関係の色相を有するフィルター膜１０１を含む。つまり、前面基板１００は、透明材質基板の透明誘電体層１３０が第１バス電極１２１及び第２バス電極１２２に含まれている銀（Ａｇ）成分と反応して、
透明誘電体層１３０の変色によりあらわれる色と減算混合での補色関係の色を有するフィルター膜１０１が形成されることによって少なくとも一部が着色される。
【００５５】
図５に示したように、フィルター膜１０１は、前面基板１００の外面に全面にかけて形成され、第１バス電極１２１及び第２バス電極１２２に対応する着色領域（Ｆ）にだけ色を有する。しかし、本発明が必ずこれに限定されるものではなく、透明誘電体層１３０の変色した部分（Ｙ）を含む着色領域（Ｆ）にだけフィルター膜１０１が形成されるとしてもよい。
【００５６】
この時、フィルター膜が付着された着色領域（Ｆ）と重なった誘電体層１３０の変色した部分は薄い黒色系の色相に見えるようになる。ここで、上記の第１実施形態と同様に、各々の放電空間３００で発現する互いに異なる色の間を区分するようになり、外光反射光を低減して、プラズマディスプレイパネル１０のコントラスト比、特に明室でのコントラスト比を向上させることができる。また、透明誘電体層１３０の黄変現象によるプラズマディスプレイパネル１０の外形上の品質の低下を抑制できるようになる。ここで、前面基板１００の全面にかけて色を有するフィルター膜が付着される場合より、着色領域（Ｆ）にだけ色を有するように形成された場合が放電空間３００で発現する本来の色を保全することに有利である。その理由は、フィルター膜が前面基板１００の全面にかけて形成される場合、放電空間３００で発現する本来の色もフィルター膜の色と混色されて変更されるためである。
【００５７】
このように、本実施形態のプラズマディスプレイによれば、明室でのコントラスト比を向上させて、誘電体が変色することによって生じる品質の低下を抑制しながら、製造工程を簡素化できる。
【００５８】
以上、添付図面を参照しながら本発明の好適な実施形態について説明したが、本発明はかかる例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【００５９】
本発明は、プラズマディスプレイに適用可能である。
【図面の簡単な説明】
【００６０】
【図１】本発明の第１実施形態にかかるプラズマディスプレイパネルの一部分を示した分解斜視図である。
【図２】図１のプラズマディスプレイパネルを組み立ててＩＩ−ＩＩ線による部分断面図である。
【図３】図１のプラズマディスプレイパネルを正面から示した時、電極の配置を概略的に示した部分配置図である。
【図４】本発明の第２実施形態にかかるプラズマディスプレイパネルの部分断面図である。
【図５】図４のプラズマディスプレイパネルを正面から示した時、電極の配置を概略的に示した部分配置図である。
【符号の説明】
【００６１】
１０      プラズマディスプレイパネル
１００      前面基板
１０１      フィルター膜
１１０、１１１、１１２      透明電極
１２０、１２１、１２２      バス電極
１３０      誘電体層
１４０      保護膜
２００      背面基板
２１１      アドレス電極
２２０      誘電層
２３０      隔壁層
２４０      蛍光体層
３００      放電空間
【図１】
2006339142.tif 000003
【図２】
2006339142.tif 000004
【図３】
2006339142.tif 000005
【図４】
2006339142.tif 000006
【図５】
2006339142.tif 000007